(57)【要約】【課題】表示すべき画像自体の特性やそれを表示させるユーザの嗜好等に合致した態様で、有害なブルーライトを低減してユーザの眼の保護を図ることが可能な画像処理装置を提供する。【解決手段】ディスプレイ８に表示すべき画像に相当する画像情報Ｓinを取得するブルーライト低減制御部３と、取得した画像情報Ｓinにおける青色成分に相当する輝度の低減率が、当該画像情報Ｓinにおける他の色成分に相当する輝度の低減率以上となるように、少なくとも青色成分に相当する前記輝度を低減して更新画像情報Ｓbcを生成し、ディスプレイ８に出力して表示させる画素値更新部６と、を備える。【選択図】図１
2015029258.tif 000002
【特許請求の範囲】
【請求項１】
表示手段に表示すべき画像に相当する画像情報を取得する取得手段と、
前記取得した画像情報における青色成分に相当する輝度の低減率が、当該画像情報における他の色成分に相当する輝度の低減率以上となるように、少なくとも前記青色成分に相当する前記輝度を低減して表示用画像情報を生成し、前記表示手段に出力して表示させる輝度制御処理を行う処理手段と、
を備えることを特徴とする画像処理装置。
【請求項２】
請求項１に記載の画像処理装置において、
前記青色成分はＲＧＢ（Red Green Blue）色空間におけるＢ成分であり、前記他の色成分は前記ＲＧＢ色空間におけるＲ成分及びＧ成分であり、
前記処理手段は、前記Ｂ成分に相当する前記輝度の前記低減率が前記Ｒ成分及び前記Ｇ成分それぞれに相当する各前記輝度の前記低減率より大きくなるように、前記Ｂ成分に相当する前記輝度を低減して前記表示用画像情報を生成し、前記表示手段に出力して表示させることを特徴とする画像処理装置。
【請求項３】
請求項２に記載の画像処理装置において、
前記輝度制御処理として前記処理手段は、前記画像を構成する画素における前記Ｂ成分が、当該画素における前記Ｒ成分及び前記Ｇ成分よりも多いほど、当該Ｂ成分に相当する前記輝度の低減率を上げて前記表示用画像情報を生成することを特徴とする画像処理装置。
【請求項４】
請求項２又は請求項３に記載の画像処理装置において、
前記輝度制御処理として前記処理手段は、前記Ｒ成分及び前記Ｇ成分それぞれに相当する前記輝度の低減率を、前記Ｂ成分に相当する前記輝度の低減率の四分の一以上二分の一以下として、前記表示用画像情報を生成することを特徴とする画像処理装置。
【請求項５】
請求項１に記載の画像処理装置において、
前記青色成分は、色相及び彩度を含む三つの要素からなる色空間における前記色相内のＢ成分であり、前記他の色成分は前記色相内の前記Ｂ成分以外の色成分であり、
前記処理手段は、前記Ｂ成分に相当する前記輝度の前記低減率が、前記色相内の当該Ｂ成分以外の前記色成分に相当する各前記輝度の前記低減率以上となるように、前記Ｂ成分に相当する前記輝度を低減して前記表示用画像情報を生成し、前記表示手段に出力して表示させることを特徴とする画像処理装置。
【請求項６】
請求項５に記載の画像処理装置において、
前記輝度制御処理として前記処理手段は、前記色相内の前記Ｂ成分及び当該色相内の当該Ｂ成分以外の前記色成分それぞれに相当する各前記輝度の前記低減率を全て同一として前記表示用画像情報を生成することを特徴とする画像処理装置。
【請求項７】
請求項５に記載の画像処理装置において、
前記取得した画像情報に相当する画像が無彩色である場合、前記輝度制御処理として前記処理手段は、前記色空間における前記色相及び前記彩度以外の要素のみを低減して前記表示用画像情報を生成することを特徴とする画像処理装置。
【請求項８】
請求項５に記載の画像処理装置において、
前記輝度制御処理として前記処理手段は、前記色相内の前記Ｂ成分に相当する前記輝度のみを低減して前記表示用画像情報を生成することを特徴とする画像処理装置。
【請求項９】
請求項５乃至請求項８のいずれか一項に記載の画像処理装置において、
前記色空間が、ＨＬＳ（Hue、Luminance、Saturation）色空間又はＨＳＶ（Hue、Saturation、Value）色空間のいずれか一方であることを特徴とする画像処理装置。
【請求項１０】
請求項１から請求項９のいずれか一項に記載の画像処理装置において、
表示すべき前記画像全体における平均輝度を検出する検出手段を更に備え、
前記検出された平均輝度が予め設定された輝度以上であるとき、前記処理手段は前記輝度制御処理を行うことを特徴とする画像処理装置。
【請求項１１】
請求項１から請求項１０のいずれか一項に記載の画像処理装置において、
前記処理手段は、
前記輝度制御処理に対応した前記Ｂ成分に相当する前記輝度の低減率を少なくとも示す輝度情報を予め記憶する記憶手段と、
前記記憶されている輝度情報を選択させるために用いられる選択手段と、
を備え、
前記処理手段は、前記選択された輝度情報を用いて前記輝度制御処理を行うことを特徴とする画像処理装置。
【請求項１２】
請求項１から請求項１１のいずれか一項に記載の画像処理装置において、
前記画像が表示される前記表示手段の表示領域の一部を選択するために用いられる領域選択手段を更に備え、
前記処理手段は、前記選択された一部のみを対象として前記輝度制御処理を行うことを特徴とする画像処理装置。
【請求項１３】
請求項１から請求項１２のいずれか一項に記載の画像処理装置と、
前記表示用画像情報を取得して、当該表示用画像情報に相当する画像を表示する前記表示手段と、
を備えることを特徴とする表示装置。
【請求項１４】
表示手段に表示すべき画像に相当する画像情報を取得する取得工程と、
前記取得した画像情報における青色成分に相当する輝度の低減率が、当該画像情報における他の色成分に相当する輝度の低減率以上となるように、少なくとも前記青色成分に相当する前記輝度を低減して表示用画像情報を生成し、前記表示手段に出力して表示させる処理工程と、
を含むことを特徴とする画像処理方法。
【請求項１５】
画像処理装置に含まれるコンピュータを、
表示手段に表示すべき画像に相当する画像情報を取得する取得手段、及び、
前記取得した画像情報における青色成分に相当する輝度の低減率が、当該画像情報における他の成分に相当する輝度の低減率以上となるように、少なくとも前記青色成分に相当する前記輝度を低減して表示用画像情報を生成し、前記表示手段に出力して表示させる処理手段、
として機能させることを特徴とする画像処理用プログラム。
【発明の詳細な説明】
【技術分野】
【０００１】
本発明は、画像処理装置、表示装置並びに画像処理方法及び画像処理用プログラムの技術分野に属する。より詳細には、表示される画像を視るユーザの眼を保護するための画像処理装置、表示装置並びに画像処理方法、及び当該画像処理装置用のプログラムの技術分野に属する。
【背景技術】
【０００２】
近年、パーソナルコンピュータやタブレット型端末装置のバックライトとしてＬＥＤ（Light Emitting Diode）が積極的に採用されている。このＬＥＤは可視光線における青色領域の光を強く発しており、それらはエネルギーが強いため、ユーザの眼の網膜等の損傷の原因になると言われている。この問題を改善するために、疲労感の低減及び眼病予防に効果的な光学部品が提案されている。このような防眩効果を有し、疲労感の低減、眼病予防にも効果的で、且つ視認性が良好な光学部品を開示する特許文献として、下記特許文献１が挙げられる。
【０００３】
この特許文献１に開示されている光学部品では、特定波長の光（以下、単に「ブルーライト」と称し、その波長は４００ナノメートル〜５００ナノメートル程度である。）を低減させることで、防眩効果、疲労感低減及び眼病予防を実現している。また当該光学部品では、それを表示装置に取り付ける（若しくは、レンズ型にした当該光学部品を眼鏡に取り付けて、そのレンズを通して視る）ことで、眼に照射されるブルーライトを低減する構成とされている。
【先行技術文献】
【特許文献】
【０００４】
【特許文献１】特開２０１３−８０５２号公報
【発明の概要】
【発明が解決しようとする課題】
【０００５】
しかしながら、上記特許文献１に開示されている光学部品を用いてブルーライトのみを低減させる場合、当然ながら、表示されている画像の色味が変わって見えるため、画像全体としての鮮明さが失われてしまうという問題点がある。またこのため、画像自体の内容やそれを視る状況に応じて、鮮明さを維持したい場合（ブルーライトを低減したくない場合）と、確実にブルーライトを低減したい場合とを両立させることが望まれる。
【０００６】
これに対し、特許文献１に開示されている光学部品を用いた場合、状況に応じて頻繁にそれを取り替えることは難しいため、上記のブルーライトの低減を適宜オン／オフ制御することはできない。また、光学部品によるブルーライトの低減の場合は、画像自体に関わらず一様に低減することとなるため、画像の内容等に連動したブルーライトの低減のオン／オフ制御も不可能である。更に光学部品自体における低減率に関しても、その材料によって固定されるため、ユーザによって要求される低減率に応じて任意にそれを変化させることは不可能であるという問題点があった。
【０００７】
そこで本発明は、上記の問題点に鑑みて為されたもので、その課題の一例は、表示すべき画像自体の特性やそれを表示させるユーザの嗜好等に合致した態様で、有害なブルーライトを低減してユーザの眼の保護を図ることが可能な画像処理装置、表示装置並びに画像処理方法、及び当該画像処理装置用のプログラムを提供することにある。
【課題を解決するための手段】
【０００８】
上記の課題を解決するために、請求項１に記載の発明は、ディスプレイ等の表示手段に表示すべき画像に相当する画像情報を取得するブルーライト低減制御部等の取得手段と、前記取得した画像情報における青色成分に相当する輝度の低減率が、当該画像情報における他の色成分に相当する輝度の低減率以上となるように、少なくとも前記青色成分に相当する前記輝度を低減して表示用画像情報を生成し、前記表示手段に出力して表示させる輝度制御処理を行う画素値更新部等の処理手段と、を備える。
【０００９】
上記の課題を解決するために、請求項１３に記載の発明は、請求項１から請求項１１のいずれか一項に記載の画像処理装置と、前記表示用画像情報を取得して、当該表示用画像情報に相当する画像を表示する前記表示手段と、を備える。
【００１０】
上記の課題を解決するために、請求項１４に記載の発明は、ディスプレイ等の表示手段に表示すべき画像に相当する画像情報を取得する取得工程と、前記取得した画像情報における青色成分に相当する輝度の低減率が、当該画像情報における他の色成分に相当する輝度の低減率以上となるように、少なくとも前記青色成分に相当する前記輝度を低減して表示用画像情報を生成し、前記表示手段に出力して表示させる処理工程と、を含む。
【００１１】
上記の課題を解決するために、請求項１５に記載の発明は、画像処理装置に含まれるコンピュータを、ディスプレイ等の表示手段に表示すべき画像に相当する画像情報を取得する取得手段、及び、前記取得した画像情報における青色成分に相当する輝度の低減率が、当該画像情報における他の成分に相当する輝度の低減率以上となるように、少なくとも前記青色成分に相当する前記輝度を低減して表示用画像情報を生成し、前記表示手段に出力して表示させる処理手段、として機能させる。
【００１２】
請求項１又は請求項１３乃至請求項１５のいずれか一項に記載の発明によれば、表示すべき画像に相当する画像情報における青色成分に相当する輝度の低減率が、他の色成分に相当する輝度の低減率以上となるように、少なくとも青色成分に相当する輝度を低減して表示用画像情報を生成して表示させる。よって、青色成分を低減する光学部材等を別途使用することなく、画像処理により有害な青色成分を低減することができる。
【００１３】
上記の課題を解決するために、請求項２に記載の発明は、請求項１に記載の画像処理装置において、前記青色成分はＲＧＢ（Red Green Blue）色空間におけるＢ成分であり、前記他の色成分は前記ＲＧＢ色空間におけるＲ成分及びＧ成分であり、前記処理手段は、前記Ｂ成分に相当する前記輝度の前記低減率が前記Ｒ成分及び前記Ｇ成分それぞれに相当する各前記輝度の前記低減率より大きくなるように、前記Ｂ成分に相当する前記輝度を低減して前記表示用画像情報を生成し、前記表示手段に出力して表示させるように構成される。
【００１４】
請求項２に記載の発明によれば、請求項１に記載の発明の作用に加えて、ＲＧＢ色空間におけるＢ成分に相当する輝度の低減率が、ＲＧＢ色空間におけるＲ成分及びＧ成分それぞれに相当する各輝度の低減率より大きくなるように、当該Ｂ成分に相当する輝度を低減して表示用画像情報を生成して表示させる。よって、当該Ｂ成分を低減する光学部材等を別途使用することなく、有害な青色成分を低減することができる。
【００１５】
上記の課題を解決するために、請求項３に記載の発明は、請求項２に記載の画像処理装置において、前記輝度制御処理として前記処理手段は、前記画像を構成する画素における前記Ｂ成分が、当該画素における前記Ｒ成分及び前記Ｇ成分よりも多いほど、当該Ｂ成分に相当する前記輝度の低減率を上げて前記表示用画像情報を生成するように構成される。
【００１６】
請求項３に記載の発明によれば、請求項２に記載の発明の作用に加えて、画像を構成する画素におけるＢ成分がＲ成分及びＧ成分よりも多いほど当該Ｂ成分に相当する輝度の低減率を上げて表示用画像情報を生成する。よって、Ｂ成分が多い画素ほどより多く当該Ｂ成分が低減されることで、ＲＧＢの各色成分間のバランスを考慮してＢ成分を低減することで、画像全体の色味が変化することを防止しつつ、有害な青色成分を低減することができる。
【００１７】
上記の課題を解決するために、請求項４に記載の発明は、請求項２又は請求項３に記載の画像処理装置において、前記輝度制御処理として前記処理手段は、前記Ｒ成分及び前記Ｇ成分それぞれに相当する前記輝度の低減率を、前記Ｂ成分に相当する前記輝度の低減率の四分の一以上二分の一以下として、前記表示用画像情報を生成するように構成される。
【００１８】
請求項４に記載の発明によれば、請求項２又は請求項３に記載の発明の作用に加えて、Ｒ成分及びＧ成分それぞれに相当する輝度の低減率を、Ｂ成分に相当する輝度の低減率の四分の一以上二分の一以下とする。よって、Ｂ成分に対するバランスを考慮してＲ成分及びＧ成分をも低減することで、画像全体の色味が変化することを防止しつつ、有害な青色成分を低減することができる。
【００１９】
上記の課題を解決するために、請求項５に記載の発明は、請求項１に記載の画像処理装置において、前記青色成分は、色相及び彩度を含む三つの要素からなる色空間における前記色相内のＢ成分であり、前記他の色成分は前記色相内の前記Ｂ成分以外の色成分であり、前記処理手段は、前記Ｂ成分に相当する前記輝度の前記低減率が、前記色相内の当該Ｂ成分以外の前記色成分に相当する各前記輝度の前記低減率以上となるように、前記Ｂ成分に相当する前記輝度を低減して前記表示用画像情報を生成し、前記表示手段に出力して表示させるように構成される。
【００２０】
請求項５に記載の発明によれば、請求項１に記載の発明の作用に加えて、色相及び彩度を含む三つの要素からなる色空間における色相内のＢ成分に相当する輝度の低減率が、当該色空間における色相内のＢ成分以外の色成分それぞれに相当する各輝度の低減率以上となるように、当該Ｂ成分に相当する輝度を低減して表示用画像情報を生成して表示させる。よって、当該Ｂ成分を低減する光学部材等を別途使用することなく、有害な青色成分を低減することができる。
【００２１】
上記の課題を解決するために、請求項６に記載の発明は、請求項５に記載の画像処理装置において、前記輝度制御処理として前記処理手段は、前記色相内の前記Ｂ成分及び当該色相内の当該Ｂ成分以外の前記色成分それぞれに相当する各前記輝度の前記低減率を全て同一として前記表示用画像情報を生成するように構成される。
【００２２】
請求項６に記載の発明によれば、請求項５に記載の発明の作用に加えて、色相内のＢ成分及び色相内の当該Ｂ成分以外の色成分それぞれに相当する各輝度の低減率を全て同一として表示用画像情報を生成する。よって、全ての色成分が等しく低減されるので、例えば表示上の白色の色味が変化することを防止しつつＢ成分が低減でき、有害な青色成分を色味の変化なく低減することができる。
【００２３】
上記の課題を解決するために、請求項７に記載の発明は、請求項５に記載の画像処理装置において、前記取得した画像情報に相当する画像が無彩色である場合、前記輝度制御処理として前記処理手段は、前記色空間における前記色相及び前記彩度以外の要素のみを低減して前記表示用画像情報を生成するように構成される。
【００２４】
請求項７に記載の発明によれば、請求項５に記載の発明の作用に加えて、取得した画像情報に相当する画像が無彩色である場合に、色空間における色相及び彩度以外の要素のみを低減して表示用画像情報を生成するので、画像が無彩色である場合でも使用者の眼を保護することができる。
【００２５】
上記の課題を解決するために，請求項８に記載の発明は、請求項５に記載の画像処理装置において、前記輝度制御処理として前記処理手段は、前記色相内の前記Ｂ成分に相当する前記輝度のみを低減して前記表示用画像情報を生成するように構成される。
【００２６】
請求項８に記載の発明によれば、請求項５に記載の発明の作用に加えて、色相内のＢ成分に相当する輝度のみを低減して表示用画像情報を生成するので、表示上の白色を含む色の色味が変化することを防止しつつ、有害な青色成分を低減することができる。
【００２７】
上記の課題を解決するために、請求項９に記載の発明は、請求項５乃至請求項８のいずれか一項に記載の画像処理装置において、前記色空間が、ＨＬＳ（Hue、Luminance、Saturation）色空間又はＨＳＶ（Hue、Saturation、Value）色空間のいずれか一方であるように構成される。
【００２８】
請求項９に記載の発明によれば、請求項５乃至請求項８のいずれか一項に記載の発明の作用に加えて、色空間がＨＬＳ色空間又はＨＳＶ色空間のいずれか一方であるので、白色を含む色の表示上の色味が変化することを防止しつつ、有害な青色成分を低減することができる。
【００２９】
上記の課題を解決するために、請求項１０に記載の発明は、請求項１から請求項９のいずれか一項に記載の画像処理装置において、表示すべき前記画像全体における平均輝度を検出するブルーライト低減制御部等の検出手段を更に備え、前記検出された平均輝度が予め設定された輝度以上であるとき、前記処理手段は前記輝度制御処理を行うように構成される。
【００３０】
請求項１０に記載の発明によれば、請求項１から請求項９のいずれか一項に記載の発明の作用に加えて、画像全体における平均輝度が既定の輝度以上であるとき輝度制御処理を行うので、画像全体としての色味又は印象等を損なうことなく、有害な青色成分を低減することができる。
【００３１】
上記の課題を解決するために、請求項１１に記載の発明は、請求項１から請求項１０のいずれか一項に記載の画像処理装置において、前記処理手段は、前記輝度制御処理に対応した前記Ｂ成分に相当する前記輝度の低減率を少なくとも示す輝度情報を予め記憶する記録部等の記憶手段と、前記記憶されている輝度情報を選択させるために用いられる操作部等の選択手段と、を備え、前記処理手段は、前記選択された輝度情報を用いて前記輝度制御処理を行うように構成される。
【００３２】
請求項１１に記載の発明によれば、請求項１から請求項１０のいずれか一項に記載の発明の作用に加えて、記憶手段に記憶されている輝度情報のうち、選択手段により選択された輝度情報を用いて輝度制御処理を行うので、ユーザの意図に沿った態様で有害な青色成分を低減することができる。
【００３３】
上記の課題を解決するために、請求項１２に記載の発明は、請求項１から請求項１１のいずれか一項に記載の画像処理装置において、前記画像が表示される前記表示手段の表示領域の一部を選択するために用いられる操作部等の領域選択手段を更に備え、前記処理手段は、前記選択された一部のみを対象として前記輝度制御処理を行うように構成される。
【００３４】
請求項１２に記載の発明によれば、請求項１から請求項１１のいずれか一項に記載の発明の作用に加えて、領域選択手段により選択された表示領域の一部のみを対象として輝度制御処理を行うので、輝度制御処理の対象となる表示領域の一部が選択可能であることにより、ユーザの好みにより合致した態様で有害な青色成分を低減することができる。
【発明の効果】
【００３５】
本発明によれば、表示すべき画像に相当する画像情報における青色成分に相当する輝度の低減率が、当該画像情報における他の色成分に相当する輝度の低減率以上となるように、少なくとも青色成分に相当する輝度を低減して表示用画像情報を生成して表示させる。
【００３６】
従って、青色成分を低減する光学部材等を別途使用することなく、画像処理により有害な青色成分を低減することができることで、表示すべき画像自体の特性やそれを表示させるユーザの嗜好等に合致した態様で、有害な青色成分を低減してユーザの眼の保護を図ることができる。
【図面の簡単な説明】
【００３７】
【図１】第１実施形態に係る表示装置の概要構成を示すブロック図である。
【図２】第１実施形態に係るブルーライトの低減処理を示す図であり、（ａ）は各色の輝度の相違を示す図であり、（ｂ）はＲＧＢ色空間におけるブルーライトの低減を説明する図である。
【図３】第１実施形態に係る各低減率の相違を例示する図である。
【図４】第１実施形態に係るブルーライトの低減処理を示すフローチャートである。
【図５】第１実施形態に係るブルーライトの低減処理を領域ごとに行う場合を例示する図であり、（ａ）は第１例を示す図であり、（ｂ）は第２例を示す図である。
【図６】第１実施形態に係るブルーライトの低減処理の他の例を示す図であり、（ａ）は各色の輝度の相違を示す図であり、（ｂ）はＲＧＢ色空間におけるブルーライトの低減を説明する図である。
【図７】実施形態に係るブルーライトの低減処理の更に他の例を、ＲＧＢ色空間を用いて示す図である。
【図８】第２実施形態の原理を説明する図（Ｉ）であり、（ａ）はＨＬＳ色空間の概念を示す図であり、（ｂ）はＨＳＶ色空間の概念を示す図である。
【図９】第２実施形態の原理を説明する図（II）であり、（ａ）はＨＬＳ色空間におけるブルーライトの低減処理（Ｉ）を説明する図であり、（ｂ）はＨＬＳ色空間におけるブルーライトの低減処理（II）を説明する図である。
【図１０】第２実施形態の原理を説明する図（III）であり、（ａ）はＨＳＶ色空間におけるブルーライトの低減処理（Ｉ）を説明する図であり、（ｂ）はＨＳＶ色空間におけるブルーライトの低減処理（II）を説明する図である。
【図１１】第２実施形態に係る表示装置の概要構成を示すブロック図である。
【図１２】第２実施形態に係るブルーライトの低減処理を示す図であり、（ａ）は各色の輝度の相違を示す図であり、（ｂ）はＨＬＳ色空間の色相におけるブルーライトの低減を説明する図である。
【図１３】第２実施形態に係るブルーライトの低減処理を示すフローチャートである。
【図１４】第２実施形態に係るブルーライトの低減処理の他の例を示す図であり、（ａ）は各色の輝度の相違を示す図であり、（ｂ）はＨＬＳ色空間の色相におけるブルーライトの低減を説明する図である。
【図１５】本発明の効果を例示する図（Ｉ）であり、（ａ）は広い波長に渡って効果を例示するであり、（ｂ）はブルーライトの波長について効果を例示する図である。
【図１６】本発明の効果を例示する図（II）であり、（ａ）は広い波長に渡って効果を例示するであり、（ｂ）はブルーライトの波長について効果を例示する図である。
【図１７】本発明の効果を例示する図（III）であり、（ａ）は広い波長に渡って効果を例示するであり、（ｂ）はブルーライトの波長について効果を例示する図である。
【発明を実施するための形態】
【００３８】
次に、本発明を実施するための形態について、図１乃至図１４を用いて説明する。なお、以下に説明する各実施形態は、動画及び静止画を含む画像を表示する表示装置におけるブルーライトの低減処理に対して、本発明を適用した場合の実施の形態である。
【００３９】
（Ｉ）第１実施形態
初めに本発明に係る第１実施形態について、図１乃至図７を用いて説明する。なお、図１は第１実施形態に係る表示装置の概要構成を示すブロック図であり、図２は第１実施形態に係るブルーライトの低減処理を示す図であり、図３は第１実施形態に係る各低減率の相違を例示する図である。更に図４は当該低減処理を示すフローチャートであり、図５は当該低減処理を領域ごとに行う場合を例示する図であり、図６は当該低減処理の他の例を示す図である。更にまた、図７はＲＧＢ色空間を用いて当該低減処理の更に他の例を例示する図である。また、以下の説明では、第１実施形態に係るブルーライトの低減処理を、単に「第１実施形態に係る低減処理」と称する。
【００４０】
図１に示すように、第１実施形態に係る表示装置Ｄ１は、画像生成部１と、キーボード、マウス又はタッチパネル等から成り、表示装置Ｄ１としての処理を指定する操作信号Ｓopを生成する操作部２と、ブルーライト低減制御部３と、補正対象範囲設定部４と、ハードディスク等の記録媒体から成り、後述する低減率テーブルを不揮発性に記録する記録部５と、画素値更新部６と、切換部７と、ＬＥＤであるバックライトを有する液晶ディスプレイ等からなるディスプレイ８と、により構成されている。
【００４１】
このとき、表示ディスプレイ８が本発明に係る「表示手段」の一例に相当し、ブルーライト低減制御部３が本発明に係る「取得手段」の一例及び「検出手段」の一例にそれぞれ相当し、画素値更新部６が本発明に係る「処理手段」の一例に相当する。また、記録部５が本発明に係る「記憶手段」の一例に相当し、操作部２が本発明に係る「選択手段」の一例及び「領域選択手段」の一例にそれぞれ相当する。
【００４２】
この構成において画像生成部１は、ディスプレイ８に表示されるべき画像（静止画又は動画の少なくともいずれか一方を含む。以下同様。）に相当する画像情報Ｓinを生成してブルーライト低減制御部３に出力する。一方記録部５は、第１実施形態に係る低減処理のための予め設定された低減率テーブルであって、上記画像におけるＢ成分を低減する際に用いられる低減率パラメータを少なくとも含む低減率テーブルを、不揮発性にｎ個（ｎは自然数）記録している。なお、各低減率テーブルについては、後ほど詳述する。
【００４３】
一方操作部２は、ユーザの操作に基づき、第１実施形態に係る低減処理を実行するか否かを示すオン／オフ信号、当該低減処理を実行する場合において当該低減処理の対象となる画像内の範囲を示す範囲指定信号、及び当該低減処理を実行する場合において当該低減処理に用いられる上記低減率テーブルを指定するためのテーブル指定信号をそれぞれ含む上記操作信号Ｓopを生成する。そして操作部２は、上記オン／オフ信号をブルーライト低減制御部３及び切換部７に、上記範囲指定信号を上記補正対象範囲設定部４及び切換部７に、上記テーブル指定信号を上記記録部５に、それぞれ出力する。このとき、ディスプレイ８に表示する画像が例えば映画に相当する画像である場合は、その画質等を維持すべく、第１実施形態に係る低減処理を実行しない旨の操作が操作部２において行われるのが好ましい。これに対して、ディスプレイ８に表示する画像が例えば事務用の文書に相当する画像である場合は、有効にブルーライトを低減すべく、第１実施形態に係る低減処理を実行する旨の操作が操作部２において行われるが好ましい。また、第１実施形態に係る低減処理を実行する場合には、その低減率を選択する操作を反映した上記テーブル指定信号が生成／出力されることになる。
【００４４】
これによりブルーライト低減制御部３は、操作部２からの上記オン／オフ信号に基づき、画像情報Ｓinについて第１実施形態に係る低減処理を実行するか否かを判定し、実行する場合は画像情報Ｓinを補正対象範囲設定部４に出力する。一方当該低減処理を実行しない場合、ブルールライト低減制御部３は画像情報Ｓinをそのまま切換部７に出力する。
【００４５】
次に補正対象範囲設定部４は、操作部２からの上記範囲指定信号に基づき、第１実施形態に係る低減処理の対象となる画像情報Ｓinの画素については当該画像情報Ｓinを画素値更新部６に出力する。一方、当該低減処理の対象となる画素以外の画像情報Ｓinの画素については、当該画像情報Ｓinをそのまま切換部７に出力する。
【００４６】
他方記録部５は、操作部２からの上記テーブル指定信号により指定されている低減率テーブルに含まれる低減率パラメータを、画素値更新部６に出力する。
【００４７】
これらにより画素値更新部６は、補正対象範囲設定部４から出力されてくる画像情報Ｓinに含まれている各画素におけるＢ成分、Ｒ成分及びＧ成分それぞれの画素値（より具体的には、例えば輝度）を、記録部５から出力された低減率テーブルにより示される画素値に更新し、更新画像情報Ｓbcとして切換部７に出力する。ここで、上記画素値（又は輝度）の上限値は階調数によって決定され、ディスプレイ８が液晶ディスプレイにより構成される場合には、ＲＧＢで２４ビットの液晶ディスプレイであればその上限値は三色の色成分ごとに「２５５（２８−１）」であり、ＲＧＢで１８ビットの液晶ディスプレイであればその上限値は三色の色成分ごとに「６３（２６−１）」である。
【００４８】
そして切換部７は、操作部２からの上記オン／オフ信号及び上記範囲指定信号に基づき、第１実施形態に係る低減処理の対象となっていない画素の画像情報Ｓinについては、ブルーライト低減制御部３又は補正対象範囲設定部４側に切り換え、そのまま表示情報Ｓoutとしてディスプレイ８に出力する。これに対して第１実施形態に係る低減処理の対象となっている画素の画像情報Ｓinについては、画素値更新部６側に切り換えて、上記更新画像情報Ｓbcを表示情報Ｓoutとしてディスプレイ８に出力する。
【００４９】
最後にディスプレイ８は、切換部７から出力されてきた表示情報Ｓoutに相当する画像を表示する。
【００５０】
次に、第１実施形態に係る低減処理に用いられる上記低減率テーブルについて、図２を用いて説明する。
【００５１】
第１実施形態に係る低減処理では、上記背景技術として説明した特別な光学部品を別途使用することなく、表示装置Ｄ１としての色調整処理により、画像情報Ｓinに相当する画像におけるブルーライトを低減する。なお以下の説明における「低減率」は、第１実施形態に係る低減処理を行わない場合における入力画像（画像情報Ｓin）の各画素値を「１」とし、以下の式により定義されるパラメータである。
【００５２】
低減率［％］＝｛１−（出力画素値／入力画素値）｝×１００
このとき、上記バックライトの明るさと表示された画像の輝度が比例関係でない場合があることにより、画像情報としての低減率と、実際にディスプレイ８に画像を表示した際にディスプレイ８から発生するエネルギーの低減率とは異なることに注意を要する。
【００５３】
即ち図２（ａ）に例示するように、横軸を入力画素値とし、縦軸を出力画素値とする場合に、第１実施形態に係る低減処理では、図２（ａ）において破線で示す原画（即ち、上記画像情報Ｓinに相当する画像）に対して、Ｂ成分の低減率が他の色成分（Ｒ成分及びＧ成分）の低減率よりも大きくなるように、上記画素値更新部６において各色成分の輝度を更新し、上記更新画像情報Ｓbcとして切換部７に出力する。この低減処理は、例えば画素ごとに実行される。ここで、上記Ｂ成分の波長は例えば４４０ナノメートル乃至４９０ナノメートル程度であり、上記Ｒ成分の波長は例えば６２０ナノメートル乃至７４０ナノメートル程度であり、上記Ｇ成分の波長は例えば５００ナノメートル乃至６００ナノメートル程度である。また図２（ａ）において、Ｒ成分及びＧ成分のグラフが例えば出力画素値＝入力画素値×０．９で表されるとすると当該Ｒ成分及びＧ成分それぞれにおける低減率は１０％（（１−０．９）×１００）となり、またＢ成分のグラフが例えば出力画素値＝入力画素値×０．７５で表されるとすると当該Ｂ成分における低減率は２５％（（１−０．７５）×１００）となる。一方、図２（ａ）に例示する低減処理をＲＧＢ色空間で表現すると、例えば図２（ｂ）に例示するようになる。図２（ｂ）からも明らかなように、第１実施形態に係る低減処理においては、Ｂ成分だけでなくＲ成分及びＧ成分についてもそれぞれ低減するが、その低減率については、Ｂ成分が他の色成分よりも大きいものとされている。
【００５４】
なお、図２（ａ）において、Ｂ成分のみを低減することも可能であるが、その場合には画像全体としての色味が変化してしまい（より具体的には、黄色がかってしまい）、表示装置Ｄ１としては好ましくない。そこで第１実施形態に係る低減処理では、Ｂ成分だけでなく、図２（ａ）に例示するようにＲ成分及びＧ成分も低減させる。そしてこのときのＲ成分及びＧ成分それぞれにおける低減率を、例えばＢ成分における低減率の四分の一以上二分の一以下とする。より具体的には、例えばＢ成分における低減率を１０パーセントとした場合、Ｒ成分及びＧ成分それぞれにおける低減率を２．５パーセント以上５パーセント以下とする。これにより、画像全体としての色味の変化を抑制しつつ、有害なブルーライトを低減することができる。なおこのとき、画像の内容によっては、上述したＢ成分のみの低減を行ってもよい場合（換言すれば、Ｒ成分及びＧ成分それぞれにおける低減率はゼロとする（Ｒ成分及びＧ成分を低減しない）場合）もあり得る。そしてこの場合についても、第１実施形態に係る表示装置Ｄ１では、Ｂ成分のみを低減するための低減率テーブルを選択することで、これを可能とすることができる。
【００５５】
そして、第１実施形態に係る表示装置Ｄ１の記録部５には、図２に例示した第１実施形態に係る低減処理の趣旨を異なる低減率についてそれぞれ示す低減率パラメータを含む上記低減率テーブルが、例えば図１に例示するように第１低減率テーブルＴ１、第２低減率テーブルＴ２、第３低減率テーブルＴ３、…、第ｎ低減率テーブルＴｎとして予め記録されている。このとき、各低減率テーブルにおける低減率の相違については、例えば図３に例示するように、低減率テーブルとしての番号が増えるほど大きな低減率として、図２に例示した趣旨に沿った低減率が色成分ごとに予め記録されている。また、各低減率テーブルにおける低減率パラメータの実際の値は、例えば実験的或いは経験的に予め定められることが考えられる。
【００５６】
次に、第１実施形態に係る低減処理について、より具体的に図４及び図５を用いて説明する。
【００５７】
図４に示すように、第１実施形態に係る低減処理においては、画像生成部１から上記画像情報Ｓinが入力されると、先ずブルーライト低減制御部３に取り込まれる（ステップＳ１）。そしてブルーライト低減制御部３は、操作部２からの上記オン／オフ信号に基づき、画像情報Ｓinについて第１実施形態に係る低減処理を実行するか否かを判定する（ステップＳ２）。ステップＳ２の判定において当該低減処理を実行する場合（ステップＳ２；ＹＥＳ）、ブルーライト低減制御部３は画像情報Ｓinを補正対象範囲設定部４に出力する。一方、ステップＳ２の判定において当該低減処理を実行しない場合（ステップＳ２；ＮＯ）、ブルーライト低減制御部３は画像情報Ｓinをそのまま切換部７に出力する（ステップＳ６）。
【００５８】
次に補正対象範囲設定部４は、操作部２からの上記範囲指定信号に基づき、画像情報Ｓinにおいて、第１実施形態に係る低減処理の対象となる画素とそれ以外の画素とを判別する（ステップＳ３）。より具体的に例えば、図５（ａ）に例示する範囲ＡＲに含まれる画素について第１実施形態に係る低減処理の対象とする旨が上記範囲指定信号により示されている場合、補正対象範囲設定部４は、範囲ＡＲ内の画素については（ステップＳ３；ＹＥＳ）画像情報Ｓinを画素値更新部６に出力する。一方、範囲ＡＲ内の画素以外の画素については（ステップＳ３；ＮＯ）、画像情報Ｓinをそのまま切換部７に出力する（ステップＳ６）。なおこの場合、図５（ｂ）の例示するように、第１実施形態に係る低減処理の対象としない画像を含む範囲ＡＲを操作部２からの上記範囲指定信号により指定し、この範囲ＡＲ以外の範囲に含まれる画素を、第１実施形態に係る低減処理の対象とするように構成することもできる。
【００５９】
これらと並行して記録部５では、操作部２からの上記テーブル指定信号により示されている低減率テーブルの選定（換言すれば、低減率の指定）が行われ（ステップＳ４）、テーブル指定信号により指定された低減率テーブルに含まれる低減率パラメータが画素値更新部６に出力される。
【００６０】
これらにより画素値更新部６は、補正対象範囲設定部４から出力されてくる画像情報Ｓinに含まれている各画素におけるＢ成分、Ｒ成分及びＧ成分それぞれの画素値を、記録部５から出力された低減率テーブルにより示される画素値に更新し（ステップＳ５）、更新画像情報Ｓbcとして切換部７に出力する。
【００６１】
そして切換部７は、操作部２からの上記オン／オフ信号及び上記範囲指定信号に基づき、ブルーライト低減制御部３又は補正対象範囲設定部４側と画素値更新部６側とを切り換えて、表示情報Ｓoutをディスプレイ８に出力して表示させる（ステップＳ６）。
【００６２】
以上説明したように、第１実施形態に係る低減処理によれば、表示すべき画像に相当する画像情報ＳinにおけるＢ成分に相当する例えば輝度の低減率が、当該画像情報におけるＲ成分及びＧ成分それぞれに相当する例えば各輝度の低減率より大きくなるように、少なくともＢ成分に相当する輝度を低減して表示情報Ｓoutを生成して表示させる。よって、Ｂ成分を低減する光学部材等を別途使用することなく、画像処理により有害なブルーライトを低減することができる。
【００６３】
また、Ｒ成分及びＧ成分それぞれに相当する低減率を、Ｂ成分に相当する低減率の四分の一以上二分の一以下とするので、Ｂ成分に対するバランスを考慮してＲ成分及びＧ成分をも低減することで、画像全体の色味が変化することを防止しつつ、有害なブルーライトを低減することができる。
【００６４】
更に、記録部５に記録されている低減率テーブルのうち、操作部２の操作により選択された低減率テーブルを用いて低減処理を行うので、ユーザの意図に沿った態様で有害なブルーライトを低減することができる。
【００６５】
更にまた、操作部２により選択された範囲のみを対象として第１実施形態に係る低減処理を行う場合は、当該低減処理の対象となる範囲が選択可能であることにより、ユーザの好みにより合致した態様で有害なブルーライトを低減することができる。なおこの場合、図５に例示したように第１実施形態に係る低減処理の対象となる範囲をユーザが指定する他に、例えば、第１実施形態に係る低減処理の対象となる画像（例えば文書の画像）、又は当該低減処理の対象としない画像（例えば映画の画像）が表示されるいわゆるウインドウをユーザが指定するように構成することもできる。この場合、そのウインドウが移動されることで当該低減処理の対象となる（又は対象とならない）画素のディスプレイ８内の位置自体は変化するが、そのウインドウ内に表示されている画像については、常に当該低減処理の対象とする（或いは対象としない）ように制御することができる。
【００６６】
なお、第１実施形態に係る低減処理については、上述した以外の他の態様が可能である。
【００６７】
例えば上述した第１実施形態では、各色成分についての低減率を、図２又は図３を用いて例示したように直線的に変化させる場合について説明したが、これ以外に、例えば図６（ａ）に例示するように、入力される画像情報Ｓinにおける輝度が大きい場合ほど低減率を大きくするように構成することもできる。この場合、図６（ａ）に例示する低減処理をＲＧＢ色空間で表現すると、例えば図６（ｂ）に例示するように、低減率が不均等に変化していることになる。このような低減処理は、第１実施形態に係る低減率テーブルに含まれている低減率パラメータの内容を変えることで実現可能となる。
【００６８】
更に図７に例示するように、Ｒ、Ｇ、Ｂそれぞれを独立した設定とするのではなく、例えば、第１実施形態に係る低減処理の対象となる画像がＢ成分を多く含んでいた場合でも、同様にＲ成分又はＧ成分も多ければ、Ｂ成分としての低減率を下げると共に、Ｒ成分やＧ成分が少なければ（言い換えれば、より純粋な「青」に近い画像（画素）であれば）、青色としての低減率を上げるように構成することもできる。この場合には、画像を構成する画素におけるＢ成分がＲ成分及びＧ成分よりも多いほど当該Ｂ成分に相当する低減率を上げて表示情報Ｓoutを生成するので、Ｂ成分が多い画素ほどより多く当該Ｂ成分が低減されることで、各色成分間のバランスを考慮してＢ成分を低減し、画像全体の色味が変化することを防止しつつ、有害なＢ成分を低減することができる。
【００６９】
また、例えば図７を用いて説明した態様の応用した他の態様として、ＲＧＢ色空間からＨＬＳ（Hue Luminance Saturation）空間やＨＳＶ（Hue Value Saturation）色空間のような色空間に変換し、Ｒ、Ｇ、Ｂの三原色だけではなく、シアン、マゼンタ及びイエロー等を考慮して、色空間毎に低減率を制御して効率的なブルーライトの低減を行い、ＲＧＢ色空間に再変換してディスプレイ８に表示させるように構成することもできる。そこで、本発明を上記ＨＬＳ色空間又はＨＳＶ色空間を用いて実施する場合の実施形態を、本発明に係る第２実施形態として以下に説明する。
【００７０】
（II）第２実施形態
次に上記第２実施形態について、図８乃至図１４を用いて説明する。なお、図８乃至図１０は第２実施形態の原理等を説明する図であり、図１１は第２実施形態に係る表示装置の概要構成を示すブロック図であり、図１２は第２実施形態に係るブルーライトの低減処理を示す図である。また、図１３は当該低減処理を示すフローチャートであり、図１４は当該低減処理の他の例を示す図である。また以下の説明では、第２実施形態に係るブルーライトの低減処理を、単に「第２実施形態に係る低減処理」と称する。
【００７１】
（Ａ）ＨＬＳ色空間及びＨＳＶ色空間について
初めに、第２実施形態にかかるＨＬＳ色空間及びＨＳＶ色空間について、それぞれ図８を用いてその概念を説明する。なお、これらＨＬＳ色空間及びＨＳＶ色空間自体は、画像処理用としては、第１実施形態にかかるＲＧＢ色空間と共に従来一般的に知られている色空間である。
【００７２】
先ず図８（ａ）にその概念を上下錐状に示すように、第２実施形態にかかる低減処理に用いられるＨＬＳ色空間は、色相（Hue）軸Ｈ、輝度（Luminance）軸Ｌ及び彩度（Saturation）軸Ｓにより構成されている。
【００７３】
このうち色相軸Ｈは、いわゆる「色味」を０度から３６０度の範囲の角度で表す軸であり、図８（ａ）に例示するように、Ｒ（Red（赤））成分、Ｇ（Green（緑））成分及びＢ（Blue（青））成分の他に、Ｃ（Cyan（シアン））成分、Ｍ（Magenta（マゼンタ））成分及びＹ（Yellow（黄））成分が含まれている。このとき、例えば０度がＲ成分であり、色相軸Ｈ上でその反対側に位置する１８０度は、Ｒ成分の反対色に当たる青緑成分となる。ＨＬＳ色空間を用いれば、反対色を求めるのも容易となる。また、上記Ｂ成分の波長は例えば４４０ナノメートル乃至４９０ナノメートル程度であり、上記Ｒ成分の波長は例えば６２０ナノメートル乃至７４０ナノメートル程度であり、上記Ｇ成分の波長は例えば５００ナノメートル乃至６００ナノメートル程度である。そして、上記Ｃ成分は上記Ｇ成分と上記Ｂ成分とからなる成分であり、上記Ｍ成分は上記Ｒ成分と上記Ｂ成分とからなる成分であり、上記Ｙ成分は上記Ｒ成分と上記Ｇ成分とからなる成分である。
【００７４】
次に彩度軸Ｓは、輝度軸Ｌ（ＨＬＳ色空間の中心軸）からの距離に見立てて０％（中心軸自体）から１００％（最外周）の範囲で「色の鮮やかさ」を表す軸であり、純色から彩度が落ちるということは、即ち灰色に近付いていくという考え方に基づいた概念である。
【００７５】
最後に輝度軸Ｌは、「色の明るさ」を０％から１００％の範囲で表す軸であり、輝度０％（図８（ａ）最下端）が「黒」であり、輝度１００％（図８（ａ）最上端）が「白」であり、その中間（色相軸Ｈを表す円板の位置）が５０％で純色を表している。
【００７６】
次に図８（ｂ）にその概念を円柱状に示すように、第２実施形態に係る低減処理に用いられるＨＳＶ色空間は、色相（Hue）軸Ｈ、明度（又は輝度）（Value）軸Ｖ及び彩度（Saturation）軸Ｓにより構成されている。
【００７７】
このうち色相軸Ｈは、上記ＨＬＳ色空間の色相軸Ｈと基本的に同様の軸であり、色の種類を０度から３６０度の範囲の角度で表し、Ｒ成分、Ｇ成分及びＢ成分の他に、Ｃ成分、Ｍ成分及びＹ成分が含まれている。
【００７８】
次に彩度軸Ｓは、これも上記ＨＬＳ色空間の彩度軸Ｓと同様に、明度軸Ｖ（ＨＳＶ色空間の中心軸）からの距離に見立てて０％（中心軸自体）から１００％（最外周）の範囲で、「色の鮮やかさ」を表す軸である。
【００７９】
最後に明度軸Ｖは、上記ＨＬＳ色空間の輝度軸Ｌに類似して、「色の明るさ」を０％から１００％の範囲で表す軸である。このとき当該明度軸Ｖが、明度１００％の純色からどの程度明るさが失われるかを示すのに対し、上記ＨＬＳ色空間の輝度軸Ｌは上述したように、「黒」が輝度０％であり、「白」が輝度１００％であり、その中間の輝度５０％が純色である点が異なる。この点、ＨＬＳ色空間の輝度軸Ｌにおける５０％以下がＨＳＶ色空間の明度軸Ｖに相当し、当該輝度軸Ｌにおける５０％以上がＨＳＶ色空間の彩度軸Ｓに相当すると言える。
【００８０】
（Ｂ）第２実施形態の原理について
次に、上記ＨＬＳ色空間又はＨＳＶ色空間に適用される第２実施形態に係る低減処理の原理について、色空間別に図９及び図１０を用いて説明する。
【００８１】
先ず、ＨＬＳ色空間において白色（無彩色）に対して第２実施形態に係る低減処理を施す場合、図９（ａ）に破線○及び実線○で例示するように、輝度軸Ｌ上において輝度を例えば破線○のレベルから実線○のレベルまで低減させることにより、ディスプレイ８による表示上の色味を変化させることなく、ブルーライトの低減が可能である。一方、ＨＬＳ色空間のＢ成分に対して第２実施形態に係る低減処理を施す場合、図９（ｂ）に破線○及び実線○でそれぞれ例示するように、色相軸ＨにおけるＢ成分のみのレベルを低減することで、他の色成分（例えばＣ成分及びＭ成分）への影響を低減することにより全体的な表示上の色味の変化を抑制しつつ、ブルーライトの低減が可能である。
【００８２】
これに対し、ＨＳＶ色空間において白色（無彩色）に対して第２実施形態に係る低減処理を施す場合、図１０（ａ）に破線○及び実線○で例示するように、ＨＬＳ色空間の場合と同様に輝度軸Ｌ上において輝度を例えば破線○のレベルから実線○のレベルまで低減させることにより、ディスプレイ８による表示上の色味を変化させることなく、ブルーライトの低減が可能である。また、ＨＳＶ色空間のＢ成分に対して第２実施形態に係る低減処理を施す場合、図１０（ｂ）に破線○及び実線○でそれぞれ例示するように、これもＨＬＳ色空間の場合と同様に色相軸ＨにおけるＢ成分のみのレベルを低減することで、他の色成分への影響を低減することにより全体的な表示上の色味の変化を抑制しつつ、ブルーライトの低減が可能である。
【００８３】
（Ｃ）第２実施形態に係る表示装置の構成及び動作等
次に、上述した原理を用いる第２実施形態に係る低減処理を実行する第２実施形態に係る表示装置の構成及び動作等について、具体的に図１１乃至図１４を用いて説明する。なお図１１乃至図１４では、第１実施形態にかかる表示装置Ｄ１と同一の部材又は同一のステップについては、同一の部材番号又は同一のステップ番号を付して細部の説明は省略する。また以下の説明では、第２実施形態に係る低減処理の一例としてＨＬＳ色空間を用いた場合について説明する。
【００８４】
図１１に示すように、第２実施形態に係る表示装置Ｄ２は、第１実施形態に係る表示装置Ｄ１の場合と同様の構成及び機能を備える画像生成部１、操作部２、ブルーライト低減制御部３、補正対象範囲設定部４、記録部５、切換部７及びディスプレイ８に加えて、第２実施形態に係る画素値更新部６０と、第２実施形態に係る色空間変換部６１と、第２実施形態に係る色空間逆変換部６２と、により構成されている。なお記録部５については、それに記録されている低減率テーブルが、第２実施形態に係る低減処理のための予め設定された低減率テーブルであって、上記画像におけるＢ成分を低減する際に用いられる低減率パラメータを少なくとも含む低減率テーブルである点が、第１実施形態に係る表示装置Ｄ１の記録部５とは異なっている。この第２実施形態に係る各低減率テーブルについては、後ほど詳述する。
【００８５】
上記の構成を備える第２実施形態に係る表示装置Ｄ２において、画像生成部１から出力される上記画像情報Ｓinは、第１実施形態に係る表示装置Ｄ１の場合と同様にＲＧＢ色空間に対応した色データ等を含んでいる。そして補正対象範囲設定部４は、操作部２からの上記範囲指定信号に基づき、第２実施形態に係る低減処理の対象となる画像情報Ｓinの画素については当該画像情報Ｓinを色空間変換部６１に出力する。一方、当該低減処理の対象となる画素以外の画像情報Ｓinの画素については、当該画像情報Ｓinをそのまま切換部７に出力する。
【００８６】
そして色空間変換部６１は、補正対象範囲設定部４から出力された画像情報Ｓinが対応する色空間をＲＧＢ色空間からＨＬＳ色空間に変換し、変換後のＨＬＳ色空間に対応する画像情報Ｓinを画素値更新部６０に出力する。なお、色空間変換部６０における色空間の変換処理（ＲＧＢ色空間からＨＬＳ色空間への変換処理）自体は従来の当該変換処理と同一であるので、細部の説明は省略する。
【００８７】
他方記録部５からは、操作部２からのテーブル指定信号により指定されている低減率テーブルに含まれる低減率パラメータが画素値更新部６０に出力される。
【００８８】
これらにより画素値更新部６０は、色空間変換部６１から出力されてくる画像情報Ｓinに含まれている各画素における、ＨＬＳ色空間の少なくともＢ成分の画素値（より具体的には、例えば輝度）を、記録部５から出力された低減率テーブルにより示される画素値に更新し、更新画像情報Ｓbcとして色空間逆変換部６２に出力する。この場合の画素値の更新は、図９で例示した原理に基づく画素値の更新である。
【００８９】
そして色空間逆変換部６２は、画素値更新部６０から出力された更新画像情報Ｓbcが対応する色空間をＨＬＳ色空間からＲＧＢ色空間に逆変換し、逆変換後のＲＧＢ色空間に対応する更新画像情報Ｓbcを切換部７に出力する。なお、色空間逆変換部６２における色空間の逆変換処理（ＨＬＳ色空間からＲＧＢ色空間への逆変換処理）自体は従来の当該逆変換処理と同一であるので、細部の説明は省略する。
【００９０】
そして切換部７は、操作部２からの上記オン／オフ信号及び上記範囲指定信号に基づき、第２実施形態に係る低減処理の対象となっていない画素の画像情報Ｓinについては、ブルーライト低減制御部３又は補正対象範囲設定部４側に切り換え、そのまま表示情報Ｓoutとしてディスプレイ８に出力する。これに対して第２実施形態に係る低減処理の対象となっている画素の画像情報Ｓinについては、色空間逆変換部６２側に切り換えて、第２実施形態に係る更新画像情報Ｓbcを表示情報Ｓoutとしてディスプレイ８に出力する。
【００９１】
最後にディスプレイ８は、切換部７から出力されてきた表示情報Ｓoutに相当する画像を表示する。
【００９２】
次に、第２実施形態に係る低減処理に用いられる上記低減率テーブルについて、図１２を用いて説明する。
【００９３】
第２実施形態に係る低減処理では、第１実施形態に係る低減処理と同様に、上記特別な光学部品を別途使用することなく、表示装置Ｄ２としての色調整処理により、画像情報Ｓinに相当する画像におけるブルーライトを低減する。
【００９４】
即ち図１２（ａ）に例示するように、横軸を入力画素値とし、縦軸を出力画素値とする場合に、第２実施形態に係る低減処理では、図１２（ａ）において破線で示す原画（即ち、上記画像情報Ｓinに相当する画像）に対して、色相軸Ｈ（図８又は図９参照）におけるＢ成分の低減率が色相軸Ｈにおける他の色成分の低減率以上となるように、上記画素値更新部６０において色相軸Ｈの各色成分の輝度を更新し、上記更新画像情報Ｓbcとして切換部７に出力する。このとき、色相軸ＨにおけるＢ成分の低減率と色相軸Ｈにおける他の色成分の低減率とを同一とする場合が図９（ａ）を用いて説明した原理に相当する。一方、色相軸ＨにおけるＢ成分の低減率を色相軸Ｈにおける他の色成分より大きくする場合、又は色相軸ＨにおけるＢ成分のみを低減する場合が図９（ｂ）を用いて説明した原理に相当する。これらの低減処理は、例えば画素ごとに実行される。なお、図１２（ａ）に例示する低減処理をＨＬＳ色空間で表現すると、例えば図１２（ｂ）に例示するようになる。図１２（ｂ）からも明らかなように、第２実施形態に係る低減処理において色相軸ＨにおけるＢ成分のみを低減する場合には、色相軸ＨにおけるＢ成分以外の色成分は低減しない。この場合に、Ｂ成分以外の他の色成分についてもＢ成分についての低減率よりも低い低減率を用いて低減してもよい。
【００９５】
そして、第２実施形態に係る表示装置Ｄ２の記録部５には、図１２に例示した第２実施形態に係る低減処理の趣旨を異なる低減率についてそれぞれ示す低減率パラメータを含む上記低減率テーブルが、例えば図１１に例示するように第１低減率テーブルＴＴ１、第２低減率テーブルＴＴ２、第３低減率テーブルＴＴ３、…、第ｎ低減率テーブルＴＴｎとして予め記録されている。このとき、各低減率テーブルにおける低減率の相違については、例えば第１実施形態において図３を用いて説明したように、低減率テーブルとしての番号が増えるほど大きな低減率として、図１２に例示した趣旨に沿った低減率が色成分ごとに予め記録されている。また、各低減率テーブルにおける低減率パラメータの実際の値は、例えば実験的或いは経験的に予め定められることが考えられる。
【００９６】
次に、第２実施形態に係る低減処理について、より具体的に図１３を用いて説明する。
【００９７】
図１３に示すように、第２実施形態に係る低減処理においては初めに、第１実施形態に係る低減処理と同様のステップＳ１乃至ステップＳ３が実行される。
【００９８】
次に例えば、第１実施形態における図５（ａ）に例示する範囲ＡＲと同様の範囲ＡＲに含まれる画素について第２実施形態に係る低減処理の対象とする旨が操作部２からの上記範囲指定信号により示されている場合、当該範囲ＡＲ内の画素について（ステップＳ３；ＹＥＳ）補正対象範囲設定部４は、画像情報Ｓinを色空間変換部６１に出力する。一方、当該範囲ＡＲ内の画素以外の画素については（ステップＳ３；ＮＯ）、補正対象範囲設定部４は画像情報Ｓinをそのまま切換部７に出力する（ステップＳ６）。なおこの場合、第１実施形態における図５（ｂ）に例示する場合と同様に、第２実施形態に係る低減処理の対象としない画像を含む範囲ＡＲを操作部２からの上記範囲指定信号により指定し、この範囲ＡＲ以外の範囲に含まれる画素を、第２実施形態に係る低減処理の対象とするように構成することもできる。
【００９９】
次に色空間変換部６１は、補正対象範囲設定部４から出力された画像情報Ｓinに対して、上述したＲＧＢ色空間からＨＬＳ色空間への変換処理を施し、色空間がＨＬＳ色空間に変換された画像情報Ｓinを画素値更新部６０に出力する（ステップＳ１０）。
【０１００】
これらと並行して記録部５では、操作部２からの上記テーブル指定信号により示されている低減率テーブルの選定（換言すれば、低減率の指定）が行われ（ステップＳ１１）、テーブル指定信号により指定された低減率テーブルに含まれる低減率パラメータが画素値更新部６０に出力される。
【０１０１】
これらにより画素値更新部６０は、色空間変換部６１から出力されてくる画像情報Ｓinに含まれている各画素における色相軸Ｈの少なくともＢ成分の画素値を、記録部５から出力された低減率テーブルにより示される画素値に更新し（ステップＳ１２）、更新画像情報Ｓbcとして色空間逆変換部６２に出力する。
【０１０２】
そして色空間逆変換部６２は、画素値更新部６０から出力された更新画像情報Ｓbcに対して、上述したＨＬＳ色空間からＲＧＢ色空間への逆変換処理を施し、色空間がＲＧＢ色空間に戻された更新画像情報Ｓbcを切換部７に出力する（ステップＳ１３）。
【０１０３】
その後切換部７は、操作部２からの上記オン／オフ信号及び上記範囲指定信号に基づき、ブルーライト低減制御部３又は補正対象範囲設定部４側と色空間逆変換部６２側とを切り換えて、表示情報Ｓoutをディスプレイ８に出力して表示させる（ステップＳ６）。
【０１０４】
以上説明したように、第２実施形態に係る低減処理によれば、ＨＬＳ色空間におけるＢ成分に相当する輝度の低減率が、色相軸Ｈ内のＢ成分以外の色成分それぞれに相当する各輝度の低減率以上となるように、当該Ｂ成分に相当する輝度を低減して更新画像情報Ｓbcを生成して表示させる。よって、当該Ｂ成分を低減する光学部材等を別途使用することなく、有害なＢ成分を低減することができる。
【０１０５】
また図９（ａ）に例示するように、画像情報Ｓinに相当する画像が無彩色である場合には、輝度軸Ｌ上でのみ（換言すれば彩度軸Ｓ上の彩度をゼロとして）輝度を低減して更新画像情報Ｓbcを生成すれば、無彩色である例えば白色の画像に対しても、眼の保護を有効に行うことができる。更に、画像情報Ｓinに相当する画像における彩度が例えば１０％以下である場合でも、色相内のＢ成分及び色相内の当該Ｂ成分以外の色成分それぞれに相当する各輝度の低減率を全て略同一として更新画像情報Ｓbcを生成すれば、色相内の全ての色成分が略等しく低減されることで、例えば表示上の白色の色味が変化することを防止しつつＢ成分が低減でき、有害なＢ成分を色味の変化なく低減することができる。
【０１０６】
更にまた図９（ｂ）に例示するように、色相内のＢ成分に相当する輝度のみを低減して表示用画像情報を生成する場合には、表示上の白色を含む色の色味が変化することを防止しつつ、有害なＢ成分を低減することができる。
【０１０７】
なお、上述した第２実施形態に係る低減処理は、色空間としてＨＬＳ色空間を用いる場合について説明したが、図８乃至図１０を用いて説明したＨＳＶ色空間を用いる場合でも、全く同様に第２実施形態に係る低減処理を実行することができる。この場合、上記色空間変換部６１では、画像情報ＳinについてＲＧＢ色空間からＨＳＶ色空間への変換処理を行い、また色空間逆変換部６２では、更新画像情報ＳbcについてＨＳＶ色空間からＲＧＢ色空間への逆変換処理を行うことになる。またこの場合の画素値の更新は、図１０で例示した原理に基づく画素値の更新である。なお、色空間変換部６０におけるＲＧＢ色空間からＨＳＶ色空間への変換処理自体、及び色空間逆変換部６２におけるＨＳＶ色空間からＲＧＢ色空間への逆変換処理自体は、それぞれ従来の当該変換処理及び当該逆変換処理と同一である。このように第２実施形態に係る低減処理では、画像情報Ｓinの色空間をＨＬＳ色空間又はＨＳＶ色空間のいずれか一方に変換して当該低減処理を実行するので、白色を含む色の表示上の色味が変化することを防止しつつ、有害なＢ成分を低減することができる。また、同様の色空間であるいわゆるLa*b*色空間、及び輝度と色差から成るいわゆるYCbCr（YUV）色空間についても、本発明は同様に適用可能である。
【０１０８】
更に、記録部５に記録されている低減率テーブルのうち操作部２の操作により選択された低減率テーブルを用いて低減処理を行う点、及び第２実施形態に係る低減処理の対象となる範囲が選択可能である点については、それぞれ第１実施形態に係る低減処理と同様の効果を奏し得ると共に、第１実施形態に係る低減処理と同様の応用が可能である。
【０１０９】
更にまた、第２実施形態に係る低減処理ついては、上述した以外の他の態様が可能である。
【０１１０】
例えば上述した第２実施形態では、例えば色相軸ＨのＢ成分についての低減率を、図１２を用いて例示したように直線的に変化させる場合について説明したが、これ以外に、例えば図１４（ａ）に例示するように、入力される画像情報Ｓinにおける輝度が大きい場合ほどその低減率を大きくするように構成することもできる。この場合、図１４（ａ）に例示する低減処理をＨＬＳ色空間で表現すると、例えば図１４（ｂ）に例示するように、低減率が不均等に変化していることになる。このような低減処理は、第２実施形態に係る低減率テーブルに含まれている低減率パラメータの内容を変えることで実現可能となる。
【０１１１】
また、表示すべき画像全体における平均輝度を例えばブルーライト低減制御部３において検出し、その検出された平均輝度が例えば実験的或いは経験的に予め設定された輝度以上であるときに第１実施形態に係る低減処理又は第２実施形態に係る低減処理を行うように構成することもできる。この場合には、画像全体における平均輝度が既定の輝度以上であるとき低減処理を行うので、画像全体としての色味又は印象等を損なうことなく、有害なブルーライトを低減することができる。なおこのときの輝度については、例えばディスプレイ８表面の照度を検出する照度センサを別途設けて検出するように構成してもよい。
【０１１２】
更に、上述した第１実施形態又は第２実施形態では、画像内の範囲を指定して第１実施形態に係る低減処理又は第２実施形態に係る低減処理の対象とする／しないを制御することとしたが、この範囲指定処理を省略し、画像全体に対して一律に第１実施形態に係る低減処理又は第２実施形態に係る低減処理を実行するように構成することもできる。更にまた、各実施形態に係る低減率テーブルのように予め記録させておくのではなく、低減率自体をユーザがその都度細かく指定可能に構成することもできる。
【０１１３】
更にまた上述した第１実施形態又は第２実施形態では、色成分に相当する例えば輝度の低減率を制御することによりブルーライトの低減を図ることとしたが、これに関連して、当該輝度の低減量自体を制御することによりブルーライトの低減を図る場合にも、本発明は適用可能である。この場合により具体的には、例えば、
低減率［％］＝（低減量／入力画素値）×１００
なる関係を有するように低減量を制御することにより、本発明を同様に適用することが可能となる。
【０１１４】
また、図４又は図１３に示すフローチャートに対応するプログラムを光ディスク等の記録媒体に記録しておき、或いはインターネット等のネットワークを介して取得して記録しておき、これらを例えば汎用のマイクロコンピュータ等により読み出して実行することにより、当該マイクロコンピュータ等を、第１実施形態又は第２実施形態に係るブルーライト低減制御部３、補正対象範囲設定部４及び画素値更新部６（画素値更新部６０）並びに切換部７として機能させることも可能である。
【実施例】
【０１１５】
次に、上述した各実施形態のうち第１実施形態に係る低減処理の効果を検証した実験結果等について、図１５乃至図１７を用いて説明する。なお図１５乃至図１７は、当該効果を例示する図である。また、以下に説明する実験結果等については、第２実施形態に係る低減処理に対しても同様に適用可能である。
【０１１６】
初めに、第１実施形態に係る低減処理の効果を確認するために行った実験の概要に関して説明する。以下にその結果を説明する実験では、背景技術でも説明した光学部品に相当する光学フィルタ及び本発明の双方を使用しない場合（以下及び図１５乃至図１７において「原画」）、当該光学フィルタのみを使用してブルーライトを低減した場合（以下及び図１５乃至図１７において「光学フィルタ」）、及び、本発明を適用して光学フィルタを使用せずにブルーライトを低減した場合（以下及び図１５乃至図１７において「本発明」）のそれぞれについて、画像として白（例えばＲＧＢ２４ビット（各色８ビットずつ）の色空間で、各色の輝度の値が「２５５，２５５，２５５」となる）を表示し、ディスプレイ８から照射されるエネルギーを分光放射輝度計で観測した。なお図１５乃至図１７において、横軸は波長であり、縦軸は測定した放射輝度の値を正規化した値である。また図１５乃至図１７において、（ａ）は全波長について示し、（ｂ）はそのうちのＢ成分について拡大して示している。
【０１１７】
先ず図１５に例示するように、低減率が比較的小さい場合については、図１５（ａ）及び図１５（ｂ）にそれぞれ示すように、第１実施形態に係る低減処理では、光学フィルタと同様のブルーライトの低減効果が実現できている。
【０１１８】
一方図１６に例示するように、低減率が比較的大きい場合については、図１６（ａ）及び図１６（ｂ）にそれぞれ示すように、測定結果に多少のズレが見られたものの、そのズレ自体は大きなものではなく、色調整時のパラメータを最適化することで、十分緩和できる範囲である。
【０１１９】
以上の図１５及び図１６にその結果をそれぞれ示す実験により、特性の異なる光学フィルタを使用した場合においても、第１実施形態に係る低減率パラメータを変更することで、光学フィルタと同様のブルーライトの低減が実現できている。言い換えれば、当該低減率パラメータの調整により、ユーザの任意に低減率が制御可能である。
【０１２０】
最後に図１７に例示するように、四種類の低減率パラメータ（第１低減率乃至第４低減率）を使用して実験を行なった。なお各低減率パラメータについては、図３に例示したものと同様のものを使用した。図１７から明らかなように、色調整としての低減率パラメータの変更により任意のブルーライトの低減率を実現できる。即ち、ユーザの任意に低減率を制御できるため、状況や個人ごとに異なる低減率の要求に対応することができる。
【産業上の利用可能性】
【０１２１】
以上それぞれ説明したように、本発明は表示装置の分野に利用することが可能であり、特にユーザの眼を保護することを目的とした表示装置の制御の分野に適用すれば特に顕著な効果が得られる。
【符号の説明】
【０１２２】
１    画像生成部
２    操作部
３    ブルーライト低減制御部
４    補正対象範囲設定部
５    記録部
６、６０    画素値更新部
６１    色空間変換部
６２    色空間逆変換部
７    切換部
８    ディスプレイ
Ｄ１、Ｄ２    表示装置
ＡＲ    範囲
Ｓin    画像情報
Ｓop    操作信号
Ｓbc    更新画像情報
Ｓout    表示情報
Ｔ１、ＴＴ１    第１低減率テーブル
Ｔ２、ＴＴ２    第２低減率テーブル
Ｔ３、ＴＴ３    第３低減率テーブル
Ｔｎ、ＴＴｎ    第ｎ低減率テーブル
【図１】
2015029258.tif 000003
【図２】
2015029258.tif 000004
【図３】
2015029258.tif 000005
【図４】
2015029258.tif 000006
【図５】
2015029258.tif 000007
【図６】
2015029258.tif 000008
【図７】
2015029258.tif 000009
【図８】
2015029258.tif 000010
【図９】
2015029258.tif 000011
【図１０】
2015029258.tif 000012
【図１１】
2015029258.tif 000013
【図１２】
2015029258.tif 000014
【図１３】
2015029258.tif 000015
【図１４】
2015029258.tif 000016
【図１５】
2015029258.tif 000017
【図１６】
2015029258.tif 000018
【図１７】
2015029258.tif 000019